(57)【要約】【目的】  本発明は、データプロジェクタ装置が使用される環境に応じて、防塵、防煙のための空気清浄装置を後付けで、データプロジェクタ装置に取り付け可能とすることを目的とする。【構成】  本発明に成る空気清浄装置は、外部からの空気取入口に空気清浄フィルタを有し、ブロア−で、塵や煙を取り除いた空気を排出口からデータプロジェクタへ送り込む構成となっている。また、この装置は、商用電源（ＡＣ電源）から制御電源（ＤＣ電源）へ変換する装置を備え、ブロア−の異常やフルタ−の有無ならびに使用時間を検出し、これらの異常をインジケータで表示するとともに、この異常状態をデータプロジェクタへ伝える機能を有している。【選択図】        図１
2005107077.tif 000002
【特許請求の範囲】
【請求項１】
空気取入口と空気排出口を有する筐体に、空気取入口の内側に空気清浄用フィルタが設けられると共に、空気排出口の内側にブロア−を備え、これらが連通するように構成されている空気清浄装置で、前記空気排出口が、データプロジェクタの空気取入口に連通して、機械的に固定可能なように構成されていること、を特徴とする空気清浄装置。
【請求項２】
前記空気清浄装置を構成するブロア−駆動用の電源が、外部商用電源から変換できる装置を内蔵するように構成されていること、を特徴特徴する請求項１に記載の空気清浄装置。
【請求項３】
前記筐体の空気取入口に設けられる空気清浄用フルタ−が、脱着可能に構成されると共に、ブロア−の異常を検知する装置とフィルタ−の有無を検出する装置と、これらの異常状態を表示する装置をも備えること、を特徴とする請求項２に記載の空気清浄装置。
【請求項４】
前記ブロア−の異常を検知する装置とフィルタ−の有無を検出する装置の異常状態を表示する装置と共に、この異常状態がデータプロジェクタに伝達可能なように構成されていること、を特徴とする請求項３に記載の空気清浄装置。
【発明の詳細な説明】
【技術分野】
【０００１】
本発明はデータプロジェクタ（一般的に、液晶プロジェクターと呼ばれているが、液晶パネル方式以外のプロジェクターを含むためデータプロジェクターとする。）の塵埃・煤煙用空気清浄装置に関する。
【背景技術】
【０００２】
従来のデータプロジェクタは、プロジェクタの空気取入口に網状の部材で、防塵・防煙を行っていた。
また、特開平１１−２０２２８０号に示すように、空気取入口に新たな空気清浄装置を取り付けていた。
また、特開２００３−１５６７９５号及び特開２００３−１６２００５号公報に記載されているようにデータプロジェクタ全体を覆う筐体を設けるようにで、構成されでいた。
【特許文献１】特開平１１−２０２２８０
【特許文献２】特開２００１−１５６７９５
【特許文献３】特開２００３−１６２００５
【発明の開示】
【発明が解決しようとする課題】
【０００３】
上記従来の例においては、ブロジェクタの空気取入口に網状の部材で、防塵・防煙を行う方法では、例えば、レストランシアタ−のような、多数の人がおりかつ、埃やタバコの煙等が多く数発生する環境では、データプロジェクタ内部に埃や煙の進入が防げないという問題が発生していた。文献１では、使用するフィルタがデータプロジェクタ空気取入口に取り付けられるため、吸い込む空気量が減少する問題があり、データプロジェクタの内部温度上昇による停止や、あらかじめ外部にフィルタを取り付けることで、吸い込む空気量が減少しても問題ない大型のブロアー（または、ファン）を取り付けておくというコスト上昇や形状が大きくなるという問題があった。
【０００４】
文献２および文献３は、これらの２つの問題を考慮したものであるが、データプロジェクタ全体を覆う構造のために形状が大きくなり、かつ、重量が増すという問題や開発コストの上昇、製品価格の上昇という問題があった。
【課題を解決するための手段】
【０００５】
本発明は、データプロジェクタの空気取入口に連通するように、プロジェクタが冷却に必要な風量を供給可能な空気清浄装置を提供するものである。
【０００６】
空気清浄装置は、空気取入口と空気排出口を有する筐体であり、空気取入口近傍に取り外し可能な空気清浄用フィルタ−を有している。また、空気排出口近傍には、ブロア−（遠心ファン、シロッコファンとも呼ばれる）を配置し、フィルタ−を通過した、空気を吸い込み、排出口から吐き出すように、構成している。この空気清浄装置は、データプロジェクターにネジ等で、固定されるように構成している。
【０００７】
また、本空気清浄装置には、ブロア−駆動用の電源を供給する電源ユニットを有し、商用電源（一般に交流１００Ｖ）からＤＣブロア−（一般、ＤＣ１２Ｖまたは、ＤＣ２４Ｖ）を駆動するための交流／直流変換装置を内臓している。また、ブロア−の停止等の異常や、フィルタ−の有無検出センサーを有し、これらの異常をインジケータ（ＬＥＤ等の点灯、点滅）で、表示するとともに、プロジェクターへ伝える制御回路を含んでいる構成である。
【発明の効果】
【０００８】
本発明の空気清浄装置は、データプロジェクターの設置場所が、塵やタバコの煙等が発生する環境において、プロジェクターが冷却に必要な量の空気をフィルターで清浄し、データプロジェクターに供給できるという効果がある。また、フィルター有無検出センサーや制御回路を内臓しているため、空気清浄装置の異常を使用者へ表示するととみに、データプロジェクターへ伝えることで、データプロジェクターへのダメージを防ぐという効果がある。
【０００９】
また、本発明の空気清浄装置は、データプロジェクターに容易に取り付け、取り外しができるために、故障時の交換作業が、可能であるとともに、データプロジェクターの使用・設置環境が、空気清浄装置を必要としない良好な場合は、取り外し可能なため、移動タイプのデータプロジェクターでは、必要に応じて取付け／取り外ししての使用ができるという効果がある。
【発明を実施するための最良の形態】
【００１０】
以下、本発明の実施形態を図に基づいて説明する。
【実施例１】
【００１１】
図１は、本発明装置の１実施例の略ブロック図であっる。図２および図３は、本発明装置の１実施例の斜視図である。また、図４は、本発明の内部構造を説明する断面図である。
【００１２】
空気清浄装置１は、板金筐体２２で、構成されている。この筐体に商用電源（一般に、ＡＣ１００Ｖ）を取り込むためのインレット１６に３Ｐプラグ付電源コード１５が接続されている。異常時に電源を遮断するヒューズ１４、電源の入切を行う電源スイッチ１３、外部からの異常サージを吸収するサージアブソーバ回路２１、商用電源（ＡＣ電源）を直流（ＤＣ）電源に変換するＡＣ／ＤＣ変換機１２、制御回路１８を内部配線で、接続している。
【００１３】
制御回路１８は、空気清浄フィルター４の有無を検出する光反射形センサー７、清浄された空気をデータプロジェクター１００へ供給するためのＤＣブロアー３、ブロアーの駆動状態を検知する回転センサー１７、空気清浄装置１の状態を表示するインジケータ１１とに接続されている。
【００１４】
制御回路１８は、データプロジェクター１００と信号ケーブル１９で接続されている。データプロジェクタ１００のインレット１０６には、商用電源を取り込むための３Ｐプラグ付電源コード１０４が接続されている。
【００１５】
空気清浄装置１は、空気排出口８の外周に軟性材料のパッキン５を配し、ネジ２０で、データプロジェクタ１００に、取付ける。このことにより、空気清浄装置１の排気口２から排出される空気が、確実に、データプロジェクタ１００の空気取入口１０１に届く。なお、空気清浄装置１とデータプロジェクタ１００の固定は、ネジ方式に限定するのでは無く、スナップオン方式や凸凹形状による勘合方式等で、固定しても良い。
【００１６】
空気清浄装置１の構成は、板金筐体２２に空気の取入口８と排出口２がある。この取入口８と排出口２の間は、空気が筐体の他の個所から漏れないようにに構成している。尚、筐体２２の材質は、板金に限定することは無く樹脂等で、構成してもよい。
また、空気取入口８近傍にフィルター４を脱着可能に構成している。このフィルター４の次にブロアー３を配している。尚、フィルターに付いては、濾材は、防塵特性に優れているエレクトレット濾材等を使用し、形状も表面積を大きく取れる「ジグザグ状」や「蜂の巣状」等、で構成する。このブロアー３は、回転センサー１７を搭載している。尚、本実施例では、ＤＣ（直流）ブロアーとしたが、ＡＣ（交流）ブロアーでも何ら問題はない。また、データプロジェクター１００の冷却に必要な風量を確保するために、複数のブロアーの使用や、軸流ファンの使用でも良い。このように、ブロアーおよび軸流ファンの形式（種類）や数量の限定するものではない。
【００１７】
インジケータ１１は、空気清浄装置1の状態を表示する。一般にＬＥＤで、構成する。Ｐは、電源ＯＮ時に点灯、Ｂは、ブロアー異常時に点灯、Ｆは、フィルター無時に点灯することにより空気清浄装置１の状態を表示する。
【００１８】
次に、データプロジェクタ１００と空気清浄装置１の動作について、説明する。データプロジェクタ１００に空気清浄装置１をネジ１０により固定する。３Ｐ付電源コード１５を空気清浄装置１に接続し、電源スイッチ１３をＯＮすると、インジケータ１１のＬＥＤ  Ｐが点灯し、ブロアー３が駆動して空気を取入口８から取り込み  フィルター４で、塵・煙を取り除き排出口２より連通しているデータプロジェクタ１００の取入口１０１へ流す。このとき、軟性部材で製作したパッキン５があるために、空気の漏れを防ぐことができる。
【００１９】
この状態で、データプロジェクタ１００へ３Ｐプラグ付電源コード１０４を接続して、データプロジェクタ１００をＯＮする。データプロジェクタ１００の操作および使用方法は、省略する。
【００２０】
使用中にブロアー３に異常が発生すると回転センサー１７が異常信号を制御回路１８へ伝え、インジケータ１１のＬＥＤ  Ｂが点灯して、ブロアー３を停止するとともに、信号ケーブル１９をかえしてプロジェクター１００へ異常状態を伝える。プロジェクター１００は、この異常信号を受信することにより、停止する。この異常状態を復帰するためには、空気清浄装置１の電源スイッチ１３をＯＦＦとし、ブロアー３を交換し、電源再投入を行う。
【００２１】
次に、フィルター４は、使用する時間とともに、塵・煙を吸着することによりフィルター性能が劣化するために、ある時間後、交換する必要がある。例えば、設置後、６ヶ月とか、プロジェクター１００のランプ交換時に合わせてフィルターの交換を行う。フィルタは、筐体２２の扉６をあけ、容易に取り出すことができる。新しいフィルター４を挿入する。フィルター４の挿入部分は、硬質の板２５に軟質のクッション２４を貼り付けることにより、フルター４と板２５の間の隙間を無くすことができ、ブロアー３へ必ずフィルター４を通過した空気が流れるようにする。
【００２２】
なお、フィルター４交換時に新しいフィルター４の挿入忘れを防止するために、光反射型センター７によりフィルターの有無を検出し、無しの場合は、異常として制御回路よりインジケーター１１のＬＥＤ  Ｆ  を点灯するとともに、信号ケーブル１９をかえしてデータプロジェクター１００へ異常状態を伝える、データプロジェクター１００は、この異常信号を受信することにより、停止する。この異常状態の復帰は、空気清浄装置1の電源スイッチ１３をＯＦＦし、フィルターを取付け、電源再投入を行う。なお、光反射形センサー７は、フィルター４が正規の位置に挿入されていない場合でもフィルター無しとするために、フィルター４を通過しない空気がブロアー３へ流れないようになっている。尚、フィルター４の有無検出は、光反射型センサーに限定するものではなく、レバー付メカニカルスイッチ等でも何ら差し支えない。
【実施例２】
【００２３】
図５は、本発明装置の他の実施例の概略電気的ブロック図であっる。本構成は、データプロジェクター１００の電源を空気清浄装置５０より取り込む構成である。（実施例１と共通な部分は省略する。）データプロジェクタ１００は、空気清浄装置５０に電源コード５４で、電源が供給されるように接続されている。この電源は、制御回路５１にあるリレー５２で、遮断できる構成である。また、インジケータ５３は、ＬＥＤ  ４個で、構成する。
【００２４】
空気清浄装置５０とデータプロジェクタ１００の動作について説明する。空気清浄装置５０をデータプロジェクタ１００に固定する。電源コード５４をデータプロジェクタ１００のインレット１０６に接続し、３Ｐプラグ付電源コードを空気清浄装置５０のインレット１６へ接続し、電源スイッチ１３をＯＮすると、インジケータ５３のＬＥＤ  Ｐ  が点灯し、ブロアー１７が動作する。この状態を、制御回路５１から通信ケーブルをかえしてデータプロジェクタ１００て伝える。これで、プロジェクタ１００はスタンバイ状態となる。プロジェクター１００の操作に付いては省略する。
【００２５】
制御回路５２は、搭載しているリレー５２によりデータプロジェクタ１００の駆動電源の遮断を行うことが可能である。例えば、ブロアー１７異常の場合、異常状態をデータプロジェクタ１００へ伝え、プロジェクター１００をスタンバイ状態にするとともに、異常信号発生後、例えば３分後にリレー５２を操作させて、電源を遮断してプロジェクタ１００を停止させる。このとき、インジケータ５３は、ＬＥＤ  Ｂを点灯する。尚、電源の遮断は、リレー５２に限定することではなく、サイリスタや、トライアック等の半導体スイッチを使用しても何ら問題はない。
【００２６】
また、ＣＰＵ５５およびＲＡＭ／ＲＯＭ（メモリー）５６を搭載しているため、空気清浄装置５０の動作時間を計測することができるため、例えば、フィルター４の交換時間の表示が可能である。使用開始後３０００時間後に、インジケータ５３のＬＥＤ  Ｆ／Ｒ  を点灯するとともに、信号ケーブルよりデータプロジェクタ１００にフィルター交換状態であることを送る。データプロジェクター１００が、例えば投射画面に「フィルター交換時期です。」と表示するようにして、ユーザーにフィルタの交換を喚起させる。  
【産業上の利用可能性】
【００２７】
本発明の空気清浄装置は、塵・煙等の発生する劣悪な環境に設置されるデータプロジェクター等に広く実装できるものである。また、ブロアを内臓しているために、データプロジェクター自体に空気取り込み時の負荷を増すことを回避出来る。
【図面の簡単な説明】
【００２８】
【図１】本願発明の一実施例に係るデータプロジェクター用空気清浄装置の電気的構成を示す略ブロック図である。
【図２】本願発明の一実施例に係るデータプロジェクター用空気清浄装置の斜視図である。
【図３】本願発明の一実施例に係るデータプロジェクター用空気清浄装置の別の方向から見た斜視図である。
【図４】本願発明の一実施例に係るデータプロジェクター用空気清浄装置の断面図である。
【図５】本願発明の一実施例に係るデータプロジェクター用空気清浄装置の電気的構成を示す略ブロック図である。（実施例２）
【符号の説明】
【００２９】
１        空気清浄装置
２        排出口  
３        ブロアー
４        フィルター
５        クッション    
６        扉
７        光反射形センサー（フィルター有無）
８        取入口
９        取付ブラケット
１０      ネジ
１１      インジケータ
１２      ＡＣ／ＤＣ変換装置
１３      電源スイッチ
１４      ヒューズ
１５      ３Ｐプラグ付ＡＣ電源コード
１６      インレット
１７      ブロアー回転センサー
１８      制御回路
１９      信号ケーブル
２０      穴
２１      サージアブソーバー回路
２２      筐体
２３      仕切り板
５０      空気清浄装置
５１      制御回路
５２      リレー
５３      インジケータ
５４      ＡＣ電源コード
５５      ＣＰＵ（マイクロプロセッサー）
５６      ＲＡＭ／ＲＯＭ
１００    データプロジェクター
１０１    取入口
１０２    排出口  
１０３    インジケータ  
１０４    ３Ｐプラグ付ＡＣ電源コード
１０５    メネジ
【図１】
2005107077.tif 000003
【図２】
2005107077.tif 000004
【図３】
2005107077.tif 000005
【図４】
2005107077.tif 000006
【図５】
2005107077.tif 000007